(57)【要約】【課題】不要な点灯時間を短縮させて電池の消耗を防止することが可能なリモコン装置を提供することである。【解決手段】このリモコン装置は、複数のボタン群や方向キー、決定ボタン等から成る入力部２６を有しており、該ボタンの操作及び振動センサ２２の反応にて、操作時点から第１の所定時間の間、本体を発光させるバックライト２８の機能を有している。そして、電池投入時から上記入力部２６による最初の操作があるまでは、マイクロコンピュータ２５によって、バックライト２８による点灯が停止される。【選択図】      図２
2007166401.tif 000002
【特許請求の範囲】
【請求項１】
複数のキーを有して、該キーの操作及び振動センサの反応にて、操作時点から第１の所定時間の間、本体を発光させるバックライト機能を有するリモコン装置に於いて、
電池投入時から上記複数のキーのうち最初のキーの操作があるまで上記バックライト機能を停止させる制御を行う制御手段を具備することを特徴とするリモコン装置。
【請求項２】
複数のキーを有して、該キーの操作及び振動センサの反応にて、操作時点から第１の所定時間の間、本体を発光させるバックライト機能を有するリモコン装置に於いて、
上記バックライト機能が開始され、引き続き上記キーの操作があった場合、キー操作毎に上記第１の所定時間を開始させるように制御する制御手段を具備することを特徴とするリモコン装置。
【請求項３】
上記制御手段は、上記複数のキーのうち、同じキーの操作が第２の所定時間継続した場合に、バックライト機能を停止させるよう制御することを特徴とする請求項２に記載のリモコン装置。
【請求項４】
上記制御手段は、上記振動センサが第３の所定時間で反応した場合に、第４の所定時間だけ上記バックライトを点灯させ、更に上記第４の所定時間に継続して上記振動センサが上記第４の所定時間で反応した場合に、上記第１の所定時間上記バックライトを点灯させるように制御することを特徴とする請求項２に記載のリモコン装置。
【請求項５】
上記制御手段は、上記振動センサが上記第３の所定時間のみの反応を続けた場合、上記キー操作があるまでバックライト機能を停止するように制御することを特徴とする請求項４に記載のリモコン装置。
【請求項６】
電池を電源としたものであって、複数の機能に対応する複数のキーと、装置に加わる振動を検出する振動手段と、上記複数のキーを点灯表示する点灯手段と、上記複数のキーの何れかが操作された場合及び上記振動手段で振動が検出された場合の少なくとも何れか一方の開始時点から第１の所定時間の間、上記点灯手段を点灯させるように制御する制御手段と、を備えたリモコン装置に於いて、
上記制御手段は、上記電池の装填時から最初のキー操作が行われるまでの時間は上記点灯手段による点灯を停止するように制御することを特徴とするリモコン装置。
【請求項７】
上記制御手段は、上記点灯手段が点灯されている上記第１の所定時間の間に上記複数のキーの何れかが操作された場合、該キーの操作毎に上記第１の所定時間分繰り返して上記点灯手段による点灯を行うように制御することを特徴とする請求項６に記載のリモコン装置。
【請求項８】
上記複数のキーのうち、同じキーの操作が第２の所定時間継続した場合、上記制御手段は上記点灯手段による点灯を停止させることを特徴とする請求項７に記載のリモコン装置。
【請求項９】
上記制御手段は、上記振動手段が第３の所定時間で反応した場合に第４の所定時間だけ上記点灯手段を点灯させるように制御し、更に上記第４の所定時間に継続して上記振動手段が上記第４の所定時間で反応した場合には、上記第１の所定時間上記点灯手段を点灯させるように制御することを特徴とする請求項７に記載のリモコン装置。
【請求項１０】
上記制御手段は、上記振動手段が上記第３の所定時間のみの反応を続けた場合、上記キー操作があるまで上記点灯手段による点灯を停止するように制御することを特徴とする請求項９に記載のリモコン装置。
【発明の詳細な説明】
【技術分野】
【０００１】
本発明はリモコン装置に関し、より詳細には、操作を行う際のリモコン装置のバックライト表示に関するものである。
【背景技術】
【０００２】
従来より、１台でテレビとＶＴＲ等、複数の機器の操作が可能な多機能リモコン装置が実用化されている。そして、暗い室内等での操作を容易にするために、リモコン装置にバックライト表示の機能を持たせたものが知られている。リモコン装置は、一般に、乾電池を電源としているため、該乾電池の消耗を防止するために、種々の対策がとられ取られている。
【０００３】
例えば、下記特許文献１には、ユーザによるキー操作、及び、振動センサの反応にて、操作時点から所定時間だけ、バックライトを点灯させる技術が開示されている。
【特許文献１】特開平１０−３０４４８０号公報
【発明の開示】
【発明が解決しようとする課題】
【０００４】
しかしながら、上述した特許文献１に記載の技術では、キー操作が伴わない、例えばリモコン装置を移動させるだけのときのような単発のセンサ反応であっても、所定時間バックライトが点灯するため、不要に電池を消耗させるという課題を有している。
【０００５】
したがって本発明は上記課題に鑑みてなされたものであり、その目的は、不要な点灯時間を短縮させて電池の消耗を防止することが可能なリモコン装置を提供することである。。
【課題を解決するための手段】
【０００６】
すなわち請求項１に記載の発明は、複数のキーを有して、該キーの操作及び振動センサの反応にて、操作時点から第１の所定時間の間、本体を発光させるバックライト機能を有するリモコン装置に於いて、電池投入時から上記複数のキーのうち最初のキーの操作があるまで上記バックライト機能を停止させる制御を行う制御手段を具備することを特徴とする。
【０００７】
請求項２に記載の発明は、複数のキーを有して、該キーの操作及び振動センサの反応にて、操作時点から第１の所定時間の間、本体を発光させるバックライト機能を有するリモコン装置に於いて、上記バックライト機能が開始され、引き続き上記キーの操作があった場合、キー操作毎に上記第１の所定時間を開始させるように制御する制御手段を具備することを特徴とするリモコン装置。
【０００８】
請求項３に記載の発明は、請求項２に記載の発明に於いて、上記制御手段は、上記複数のキーのうち、同じキーの操作が第２の所定時間継続した場合に、バックライト機能を停止させるよう制御することを特徴とする。
【０００９】
請求項４に記載の発明は、請求項２に記載の発明に於いて、上記制御手段は、上記振動センサが第３の所定時間で反応した場合に、第４の所定時間だけ上記バックライトを点灯させ、更に上記第４の所定時間に継続して上記振動センサが上記第４の所定時間で反応した場合に、上記第１の所定時間上記バックライトを点灯させるように制御することを特徴とする。
【００１０】
請求項５に記載の発明は、請求項４に記載の発明に於いて、上記制御手段は、上記振動センサが上記第３の所定時間のみの反応を続けた場合、上記キー操作があるまでバックライト機能を停止するように制御することを特徴とする。
【００１１】
請求項６に記載の発明は、電池を電源としたものであって、複数の機能に対応する複数のキーと、装置に加わる振動を検出する振動手段と、上記複数のキーを点灯表示する点灯手段と、上記複数のキーの何れかが操作された場合及び上記振動手段で振動が検出された場合の少なくとも何れか一方の開始時点から第１の所定時間の間、上記点灯手段を点灯させるように制御する制御手段と、を備えたリモコン装置に於いて、上記制御手段は、上記電池の装填時から最初のキー操作が行われるまでの時間は上記点灯手段による点灯を停止するように制御することを特徴とする。
【００１２】
請求項７に記載の発明は、請求項６に記載の発明に於いて、上記制御手段は、上記点灯手段が点灯されている上記第１の所定時間の間に上記複数のキーの何れかが操作された場合、該キーの操作毎に上記第１の所定時間分繰り返して上記点灯手段による点灯を行うように制御することを特徴とする。
【００１３】
請求項８に記載の発明は、請求項７に記載の発明に於いて、上記複数のキーのうち、同じキーの操作が第２の所定時間継続した場合、上記制御手段は上記点灯手段による点灯を停止させることを特徴とする。
【００１４】
請求項９に記載の発明は、請求項７に記載の発明に於いて、上記制御手段は、上記振動手段が第３の所定時間で反応した場合に第４の所定時間だけ上記点灯手段を点灯させるように制御し、更に上記第４の所定時間に継続して上記振動手段が上記第４の所定時間で反応した場合には、上記第１の所定時間上記点灯手段を点灯させるように制御することを特徴とする。
【００１５】
請求項１０に記載の発明は、請求項９に記載の発明に於いて、上記制御手段は、上記振動手段が上記第３の所定時間のみの反応を続けた場合、上記キー操作があるまで上記点灯手段による点灯を停止するように制御することを特徴とする。
【発明の効果】
【００１６】
本発明によれば、電池投入時から最初のキー操作があるまではバックライト機能を停止させ、点灯時間は振動センサの反応を、移動のみの単発時とキー操作の継続時で変化をもたせるようにしたので、不要な点灯時間を短縮させて電池の消耗を防止することが可能なリモコン装置を提供することができる。
【発明を実施するための最良の形態】
【００１７】
以下、図面を参照して、本発明の実施形態を説明する。
【００１８】
（第１の実施形態）
図１は、本発明の第１の実施形態に係るリモコン装置の外観を示した図である。
【００１９】
このリモコン装置は、例えば、ＤＶＤプレーヤとテレビの２種類の機器を制御することができる。
【００２０】
図１に於いて、リモコン装置１０は、その本体部１１の操作面上には、操作ボタン群１３、方向ボタン１４及び決定ボタン１５、操作ボタン群１７、１８、１９が配列されている。そして、リモコン装置１０の前面（図１で上側）には、赤外線ＬＥＤ等を内蔵した発光部２１が設けられている。ユーザが、各種のキーとしてのボタンを押下すると、この発光部２１から赤外線信号が、図示されない機器に対して送信される。また、リモコン装置１０の内部には、該リモコン装置１０に加わる振動を検出するための手段である、周知の振動センサ２２が内蔵されている。更に、リモコン装置１０の上記操作面と反対側には、該リモコン装置１０を駆動する乾電池を装填するための電池収納部（図示せず）が設けられている。
【００２１】
尚、このリモコン装置１０は、ユーザによって各種のボタンが操作されるとバックライトが点灯する構成である（詳細は後述する）。また、振動センサ２２によって振動が検出された場合にも、バックライトは点灯する構成である。このバックライトは、第１所定時間経過すると自動で消灯する構成である。
【００２２】
操作ボタン群１３は、図示されないＤＶＤプレーヤの設定機能に関するものであり、これらのボタンをユーザが押下することによって、ＤＶＤプレーヤの各種設定が行われる。
【００２３】
また、方向ボタン１４は、図示されないテレビ画面上に表示されているカーソルを移動させるためのものである。方向ボタン１４は上下左右の４つのキースイッチから成るもので、これらのキースイッチの組み合わせによって、上下左右の他、右斜め上、右斜め下、左斜め上、左斜め下を加えた８方向に、上記カーソルが移動するようになっている。そして、決定ボタン１５は、項目決定を指示するための機能を有している。すなわち、方向ボタン１４が操作された後に決定ボタン１５が押下されることによって、上記カーソルが表示された位置の項目が決定されるようになっている。
【００２４】
操作ボタン群１７は、ＤＶＤプレーヤの操作に関する複数のボタンより構成されている。このうち、バックライトモードボタン１７ａは、このボタン１７ａを押下した場合に、所定時間、例えば約１０秒間、リモコン装置１０上のボタンを点灯するためのものである。また、操作ボタン群１８は、テレビ操作用のボタンである。更に、操作ボタン群１９は、番号入力及びそれらに関連したボタンである。この操作ボタン群１９は、図示矢印Ａ方向にスライド自在の蓋１１ａによって、通常は本体部１１の操作面には見えないように覆われている。操作ボタン群１９による入力を行う場合に、蓋１１ａを摺動させて、当該操作ボタン群１９を露出させるようになっている。
【００２５】
図２は、このリモコン装置の概略構成を示すブロック図である。尚、ここでは、バックライトに関連した構成部についてのみ説明する。
【００２６】
図２に於いて、マイクロコンピュータ（以下、マイコンと略記する）２５は、このリモコン装置の制御動作を司る制御手段であり、上述した発光部２１と、振動センサ２２と、上述した操作ボタン群１３、方向ボタン１４及び決定ボタン１５、操作ボタン群１７、１８、１９で構成される入力部２６と、バックライト２８を点灯させるためのバックライトドライバ２７が接続されている。
【００２７】
上記発光部２１は、発光ダイオード（ＬＥＤ）３１と、ＬＥＤドライバ３０とより構成される。入力部２６の何れかが操作されると、その操作に応じてマイコン２５からＬＥＤドライバ３０に指示信号が出力される。ＬＥＤドライバ３０は、当該指示信号を所定の周波数で変調してＬＥＤ３１に供給する。これにより、発光ダイオード３１から図示されない機器に対して指示信号が送信される。
【００２８】
また、バックライト２８は、上述した操作ボタン群１３、方向ボタン１４及び決定ボタン１５、操作ボタン群１７、１８、１９の背面にそれぞれ設けられているもので、例えばＬＥＤにより構成されている。このバックライト２８は、リモコン装置１０が使用されていない場合は消灯して電力の消耗を防止している。そして、後述するように、振動センサ２２による振動の検出または入力部２６の操作によってリモコン装置１０が使用されていると判断されると、マイコン２５からバックライトドライバ２７を介して、バックライト２８が所定時間点灯されるようになっている。
【００２９】
次に、図３のフローチャートを参照して、本実施形態に於けるバックライトの動作について説明する。尚、このリモコン装置１０の動作は、主にマイコン２５の制御によって行われる。
【００３０】
このリモコン装置１０では、先ずステップＳ１にて、上述した電池収納部に電池が装填されると、リモコン稼動可能となり、マイコン２５のリセットが解除される。次いで、ステップＳ２に於いて、ボタン操作の状態が検出される。ここで、ボタン操作がなされた場合はステップＳ６へ移行し、ボタン操作がなされていない場合は、続いてステップＳ３に於いて振動センサ２２による振動状態が検出される。
【００３１】
上記ステップＳ３にて、振動が検出されなければ上記ステップＳ２へ移行し、検出されたならば、ステップＳ４に移行して点灯許可の有無が判定される。ここで、点灯許可がなされない場合は、上記ステップＳ２へ移行し、許可された場合はステップＳ５に於いて、マイコン２５内の点灯タイマが設定されているか否かが判定される。その結果、該タイマがセットされていなければ後述するステップＳ９へ移行し、セットされていれば後述するステップＳ１２へ移行する。
【００３２】
上記ステップＳ２にて、ボタン操作が有ると判定された場合は、ステップＳ６へ移行して、バックライト２８の「点灯許可」が与えられる。その後、ステップＳ７に於いて、点灯タイマがセットされているか否かが判定される。このステップＳ７では、すでにバックライト２８が点灯しているか否かを判定している。
【００３３】
最初のボタン操作では、バックライトが点灯していないので、ステップＳ８がスキップされてステップＳ９にてバックライト点灯が行われる。次いで、第１タイマとなる点灯タイマ処理に移行する。この第１タイマとなる点灯タイマ処理は、ステップＳ１０にて第１タイマがリセット（初期化）された後、ステップＳ１１にてタイマがセット（稼動可能）されることを意味している。
【００３４】
一方、上記ステップＳ７に於いて、点灯タイマがセットされている場合は、ステップＳ８に移行して、ボタン操作が既に発生しているか否かが判定される。ここで、再度ボタン操作が行われている場合はステップＳ９に移行し、操作されていない場合はステップＳ１２へ移行する。
【００３５】
ステップＳ１２では、上記第１タイマとなる点灯タイマ処理が行われ、再度のボタン操作が開始時間とされる処理が行われる。すなわち、第１タイマがセットされてから、タイマがカウントされる。そして、ステップＳ１３に於いて、第１タイマでカウントされた時間が第１所定時間（例えば、１０秒間）に到達したか否かが判定される。
【００３６】
ここで、まだ、第１所定時間に到達していなければ、上記ステップＳ７に移行して、以降の処理動作が繰り返される。そして、第１タイマでカウントされた時間が第１所定時間に到達したならば、ステップＳ１４へ移行して、バックライト消灯の処理が行われる。その後、上記ステップＳ２へ移行する。
【００３７】
このように、第１の実施形態によれば、一連の動作にてユーザがボタンを操作することで、操作を開始した時点から第１所定時間の間バックライト２８が発光し、暗い部屋での利用時にリモコン装置１０の操作面上のボタンを案内するという、リモコン動作確認等のユーザへの利便性が備わっている。同様に、リモコン装置１０に振動を与えた場合、振動開始時点から第１所定時間の間でバックライト２８が点灯し、ユーザがリモコン装置１０を持ち上げた際に点灯する利便性が加わっている。
【００３８】
本第１の実施形態では、振動を検出した場合でも、「点灯許可」が設定されていないと、バックライトは点灯しない。この「点灯許可」は、一度、ユーザがボタン操作することによって設定される構成である。
【００３９】
本実施形態が適用されないリモコン装置の場合、ボタン操作前の振動でもバックライトが点灯するため、例えば、電池を装填した際の振動により、電池を装填するとすぐにバックライトが点灯してまい、無駄なエネルギーを消費してしまう。これに対して、本実施形態の構成によれば、電池投入時から最初のボタン操作があるまでバックライト機能を停止するので、電池投入時のユーザのボタン操作、持ち上げ目的でないバックライト点灯を防止しして、無用の電力消費を防止することができる。
【００４０】
尚、上述した第１所定時間は、ユーザのボタン操作の場合に限り、操作時点毎に開始時点を設定するようにしてもよい。これにより、ユーザは所定時間内に全て操作する必要はなく、また、振動する場所にリモコン装置１０を載置した場合でも、バックライト２８が継続的に点灯することによる無用の電力消費を防止することができる。
【００４１】
（第２の実施形態）
次に、本発明の第２の実施形態について説明する。
【００４２】
上述した第１の実施形態では、ユーザがボタンを操作してから所定時間の間バックライトを点灯させると共に、リモコン装置に振動が加わってから所定時間の間でバックライトを点灯させるようにしている。この第２の実施形態では、所定時間の間はユーザのボタン操作で、且つ操作時点毎に開始時点を設定するようにしている。
【００４３】
尚、第２の実施形態に於けるリモコン装置の構成及び基本的な動作については、図１乃至図３に示される第１の実施形態のリモコン装置と同じであるので、同一の部分には同一の参照番号を付して、その図示及び説明を省略し、異なる部分についてのみ説明する。
【００４４】
以下、図４のフローチャートを参照して、本発明の第２の実施形態に於けるリモコン装置の動作について説明する。尚、このリモコン装置１０の動作は、主にマイコン２５の制御によって行われる。
【００４５】
図４は、第２の実施形態に於けるリモコン装置１０の基本的な動作を説明するフローチャートである。尚、図４のフローチャートに於いて、ステップＳ２１〜Ｓ２８、ステップＳ３７〜Ｓ４０及びステップＳ４２〜Ｓ４３の処理動作については、上述した図３のフローチャートのステップＳ１〜Ｓ８、ステップＳ９〜Ｓ１２及びステップＳ１３〜Ｓ１４と同じであるので、それぞれ対応するステップ番号を参照してここでの説明は省略する。
【００４６】
ステップＳ２８にて、再度ボタン操作の状態が検出された結果、操作されていない場合はステップＳ４０へ移行し、操作されている場合はステップＳ２９へ移行する。ステップＳ２９では、操作されたのが同一ボタンであるか否かが判定される。ここで、操作されたのが同一のボタンではない場合はステップＳ３７へ移行し、同一のボタンであった場合はステップＳ３０へ移行する。
【００４７】
ステップＳ３０に於いては、マイコン２５内の、上記ステップＳ２７で判定された点灯タイマ（第１タイマ）と異なる第２タイマの状態が検出される。ここで、第２タイマがセットされていれば、後述するステップＳ３１及びＳ３２の処理動作はスキップされる。一方、第２タイマがセットされていないならば、ステップＳ３１へ移行する。つまり、第２タイマとなる点灯タイマ処理に移行する。この第２タイマとなる点灯タイマ処理は、ステップＳ３１にて第２タイマがリセット（初期化）された後、ステップＳ３２にてタイマがセット（稼動可能）されることを意味している。
【００４８】
ステップＳ３２にて、第２タイマがセットされると、続くステップＳ３３に於いて、上述した第１タイマと同じルーチンで、第２タイマによりカウントされた時間が第２所定時間（例えば、３０秒間）に到達したか否かが判定される。ここで、第２タイマ時間に到達していなければステップＳ３７に移行し、到達していたならばステップＳ３４へ移行する。
【００４９】
ステップＳ３４では、上述した第１、第２タイマの何れもリセットされる。そして、ステップＳ３５にてバックライト２８が消灯された後、ステップＳ３６に於いてボタン操作の有無が検出される。ここでは、ボタン操作が解除されるまでバックライト２８は点灯されない。そして、ボタン操作がなされたならば、上記ステップＳ２２へ移行して以降の処理動作が繰り返される。
【００５０】
ステップＳ３７〜Ｓ４０にて、バックライト点灯、第１タイマの処理動作が行われた後、ステップＳ４１にて、第２タイマとなる点灯タイマ処理が行われ、再度のボタン操作が開始時間とされる処理が行われる。すなわち、第２タイマがセットされてから、タイマがカウントされる。その後、ステップＳ４２へ移行する。
【００５１】
このように、第２の実施形態によれば、例えば、リモコン装置１０の操作面を下に向けて机上に載置して、ユーザの意図とは無関係に操作ボタンによる操作が発生しても、バックライトは第２所定時間経過後に消灯するので、無用の電力消費を防止することができる。
【００５２】
（第３の実施形態）
次に、本発明の第３の実施形態について説明する。
【００５３】
本第３の実施形態は、振動センサを読み込んでセンサ反応の有無を判定し、センサの反応がある場合に、その時点でバックライトの点灯の有無を判定するようにしている。
【００５４】
尚、第３の実施形態に於けるリモコン装置の構成及び基本的な動作については、図１乃至図４に示される第１及び第２の実施形態のリモコン装置と同じであるので、同一の部分には同一の参照番号を付して、その図示及び説明を省略し、異なる部分についてのみ説明する。
【００５５】
以下、図５のフローチャートを参照して、本発明の第３の実施形態について説明する。
【００５６】
図５は、振動検出の詳細な動作を説明するためのフローチャートである。
【００５７】
本ルーチンが開始されると、先ずステップＳ５１にて、振動センサ２２が読み込まれる。次いで、ステップＳ５２に於いて、センサ反応の有無が判定される。ここで、センサの反応がない場合は後述するステップＳ６９へ移行する。一方、センサの反応がある場合は、ステップＳ５３に移行して、その時点でバックライトが点灯しているのか否かが判定される。
【００５８】
ステップＳ５３にてバックライトが点灯していない場合は、ステップＳ５５に移行して、マイコン２５内で上記第１及び第２のタイマと異なる第３タイマがセットされているか否かが判定される。第３タイマがセットされていない場合は、続くステップＳ５６にて第３タイマがリセット（初期化）され、更にステップＳ５７にてセット（稼動可能）される。これにて、該振動センサ２２の反応があり、且つ、その時点のバックライト２８が消灯している場合は、第３タイマがカウント可能となるので、ステップＳ５８にて第３タイマのカウントが開始される。尚、上記ステップＳ５５に於いて、第３タイマがセットされている場合は、上述したステップＳ５６及びＳ５７がスキップされる。
【００５９】
次に、ステップＳ５９に於いて、第３タイマによりカウントされた時間が第３所定時間（例えば、０．７秒間）経過したか否かが判定される。ここで、経過していない場合は、振動センサの反応開始から、まだ振動確定には至らない状態あるので、その状態で振動検出ルーチンが終了する。一方、第３所定時間が経過した場合は、ステップＳ６０へ移行して、その時点でバックライトが第１バックライトとして点灯され、続いてステップＳ６１にて本格的なバックライト点灯へ至る「第２バックライト許可」が設定される。
【００６０】
その後、本格的なバックライト点灯を検出するため、ステップＳ６２にて、マイコン２５内で上記第１乃至第３のタイマと異なる第４タイマがリセット（初期化）され、次いでステップＳ６３にて第４タイマがセット（稼動可能）される。これにて、第１バックライトが点灯しており、引続き該振動センサの反応がある場合は、第４タイマがカウント可能となり、ステップＳ６４にて第４タイマがカウントされる。
【００６１】
そして、ステップＳ６５に於いて、第４タイマによるカウントが第４所定時間（例えば、０．７秒間）経過したか否かが判定される。ここで、第４所定時間が経過していない場合は、第１バックライト点灯中で、まだ振動確定には至らない状態ある。そのため、その状態で振動検出ルーチンが終了する。一方、ステップＳ６５にて第４所定時間が経過した場合は、ステップＳ６６に移行し、その時点で「振動有り」が設定されて本格的なバックライト点灯へ至る。
【００６２】
尚、上記ステップＳ５３にてバックライト２８が点灯している場合は、ステップＳ５４に移行して、「第２バックライト許可」の有無が判定される。ここで、更に「第２バックライト許可」が設定されると、バックライト２８は点灯しているので、第３タイマのカウントが中断されて、ステップＳ６４に移行し、第４タイマのカウントがなされる。
【００６３】
ところで、上述したステップＳ６５に於いて、第４タイマが第４所定時間に至る前に、一度でも振動センサ２２の反応がなくなった場合は、ステップＳ６９に移行して「第２バックライト」は禁止されるループに遷移する。このループでは、第４タイマが第４所定時間まで時間がカウントされて、第４所定時間に到達後、消灯する。
【００６４】
すなわち、ステップＳ６９に於いてバックライト２８の点灯の有無が判定される。ここで、点灯されていなければステップＳ７４へ移行し、点灯されているならばステップＳ７０に移行して、第４タイマによるカウントが第４所定時間経過したか否かが判定される。その結果、第４所定時間が経過していない場合は、ステップＳ７１に移行して、第４タイマによるカウントがなされる。一方、ステップＳ７０にて第４所定時間が経過した場合は、ステップＳ７２に移行して、第４タイマがリセットされる。
【００６５】
その後、ステップＳ７３にてバックライト２８が消灯され、続くステップＳ７４にて第３タイマがリセットされると、ステップＳ７５にて第２バックライトの禁止がなされる。その後、本ルーチンが終了する。
【００６６】
このように、第３所定時間に到達しない振動センサ２２の反応では、バックライト２８は点灯せず、第３所定時間に加えて第４所定時間までの間、振動センサ２２が反応を継続すると、本来のバックライト２８の点灯が許可される。また、第３所定時間まで反応が継続するが第４所定時間到達前までに振動センサ２２の反応がなくなると、第４所定時間の間だけ、バックライト２８は発光する。
【００６７】
本第３の実施形態により、ｉ）リモコン装置１０を載置したテーブル等に、別の物を載置することにより発生する振動で、第３所定時間に到達しない時間の振動であれば、バックライト２８は点灯しない。つまり、微小な振動でのバックライト点灯を防止し、無用の電力消費を防止することができる。且つ、ii）ユーザがリモコン装置１０を把持した場合で、ユーザがリモコン装置１０を目視確認する際で、把持開始から第３所定時間と第４所定時間との合わせた時間以上経過していなくても、第３所定時間が経過していれば、バックライト２８は点灯するようになっているので、暗い部屋でも目視確認が可能となる。
【００６８】
また、iii)ユーザがリモコン装置を僅かに移動させた場合で、該移動開始から第３所定時間と第所定４時間との合わせた時間以上経過していない振動であれば、第４所定時間だけバックライト２８が点灯するので、無用の電力消費を防止することができる。
【００６９】
すなわち、第３の実施形態によれば、リモコン装置は、上記ｉ）〜iii)の３段階の点灯モードを有する構成となる。
【００７０】
（第４の実施形態）
次に、本発明の第４の実施形態について説明する。
【００７１】
この第４の実施形態は、上述した第３の実施形態に於いて、振動センサ開始から、第３所定時間以上で、第３所定時間と第４所定時間との合わせた時間には経過していない振動であれば、「短点灯カウント」がカウントされる点が異なっている。
【００７２】
尚、第４の実施形態に於けるリモコン装置の構成及び基本的な動作については、図１乃至図５に示される第１乃至第３の実施形態のリモコン装置と同じであるので、同一の部分には同一の参照番号を付して、その図示及び説明を省略し、異なる部分についてのみ説明する。
【００７３】
以下、図６のフローチャートを参照して、本発明の第４の実施形態について説明する。
【００７４】
図６は、サブルーチン「振動検出」の詳細な動作を説明するためのフローチャートである。尚、図６のフローチャートに於いて、ステップＳ８１〜Ｓ１０４及びステップＳ１０５〜Ｓ１０６の処理動作については、上述した図５のフローチャートのステップＳ５１〜Ｓ７３及びステップＳ７４〜Ｓ７５と同じであるので、それぞれ対応するステップ番号を参照してここでの説明は省略する。
【００７５】
ステップＳ１０３でバックライト２８が消灯されると、ステップＳ１０４にて短点灯カウントが開始される。すなわち、振動センサ２２の振動開始から、第３所定時間以上で、第３所定時間と第４所定時間との合わせた時間には経過していない振動であれば、この「短点灯カウント」が行われる。このカウント数は、図７フローチャートに於けるステップＳ１２８のボタン操作無しのルーチンで判定され、所定回数以上であれば、振動によりバックライト点灯には移行しない。このカウントは、キー操作有りのルーチンのみでリセット（初期化）される。
【００７６】
図７のフローチャートを参照して、第４の実施形態に於けるリモコン装置１０の動作を説明する。尚、図７のフローチャートに於いて、ステップＳ１１１〜Ｓ１１２、ステップＳ１１４〜Ｓ１１６、ステップＳ１１８〜Ｓ１２８及びステップＳ１３０〜Ｓ１３６の処理動作については、上述した図４のフローチャートのステップＳ２１〜Ｓ２２、ステップＳ２３〜Ｓ２５、ステップＳ２６〜Ｓ３６及びステップＳ３７〜Ｓ４３と同じであるので、それぞれ対応するステップ番号を参照してここでの説明は省略する。
【００７７】
ステップＳ１２８に於いて、ボタン操作無しの場合は、ステップＳ１２９のサブルーチン「振動検出」にて、上述したように短点灯カウントが行われる。そして、ステップＳ１１２に移行して、ボタン操作無しであるのでステップＳ１１３に移行する。このステップＳ１１３では、短点灯カウントのカウント数が所定回数以上になったか否かが判定される。ここで、所定回数以上であれば、振動によりバックライト点灯（ステップＳ１３０）には移行せず、ステップＳ１３３に移行する。
【００７８】
そして、この短点灯カウンタのカウントは、ステップＳ１１２でボタン操作有りと判定された後のステップＳ１１７でのみリセット（初期化）される。
【００７９】
このように、第４の実施形態によれば、微小振動が繰り返し発生する場合、例えば、大音量下でのテーブルにリモコン装置１０が載置され場合や、電池が装填されたままの運搬等の場合では、第４所定時間の点灯も禁止するので、無用の電力消費を防止することができる。
【００８０】
以上、本発明の実施形態について説明したが、本発明は上述した実施形態以外にも、本発明の要旨を逸脱しない範囲で種々の変形実施が可能である。
【００８１】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００８２】
【図１】本発明の第１の実施形態に係るリモコン装置の外観を示した図である。
【図２】このリモコン装置の概略構成を示すブロック図である。
【図３】本発明の第１の実施形態に於けるバックライトの動作について説明するためのフローチャートである。
【図４】本発明の第２の実施形態に於けるバックライトの動作について説明するためのフローチャートである。
【図５】本発明の第３の実施形態に於ける振動検出の詳細な動作を説明するためのフローチャートである。
【図６】本発明の第４の実施形態に於けるサブルーチン「振動検出」の詳細な動作を説明するためのフローチャートである。
【図７】本発明の第４の実施形態に於けるリモコン装置１０の動作を説明するためのフローチャートである。
【符号の説明】
【００８３】
１０…リモコン装置、１１…本体部、１１ａ…蓋、１３、１７、１８、１９…操作ボタン群、１４…方向ボタン、１５…決定ボタン、２１…発光部、２２…振動センサ、２５…マイクロコンピュータ（マイコン）、２６…入力部、２７…バックライトドライバ、２８…バックライト、３０…ＬＥＤドライバ、３１…発光ダイオード（ＬＥＤ）。
【図１】
2007166401.tif 000003
【図２】
2007166401.tif 000004
【図３】
2007166401.tif 000005
【図４】
2007166401.tif 000006
【図５】
2007166401.tif 000007
【図６】
2007166401.tif 000008
【図７】
2007166401.tif 000009